(57)【要約】      （修正有）【課題】塀の開口部からの塀に囲まれた領域内への水の侵入を防止できる止水板および止水構造を提供する。【解決手段】止水板１００は、領域内Ａ１と領域外Ａ２との境界に設けられた塀１２の開口部１２Ａからの領域内Ａ１への水の侵入を防止し、開口部１２Ａを塞ぐように設置され、開口部１２Ａを塞ぐ大きさを有する板状の止水板本体１０１と、止水板本体１０１を塀１２に固定する固定具１０２とを有する。【選択図】図１
0003233365.tif 000002
【実用新案登録請求の範囲】
【請求項１】
領域内と領域外との境界に設けられた塀の開口部を塞ぐように設置され、前記開口部からの前記領域内への水の侵入を防止する止水板本体を有する
ことを特徴とする止水板。
【請求項２】
前記止水板本体は、
前記塀の外壁面に密着した状態で、前記塀の前記開口部を塞ぐように設置される
ことを特徴とする請求項１に記載の止水板。
【請求項３】
前記止水板本体を前記塀に固定する取付金具を有する
ことを特徴とする請求項１または２に記載の止水板。
【請求項４】
前記止水板本体が設置される地面に対し、前記止水板本体の下側に設置され、平滑な表面を有するプレートをさらに備え、
前記止水板本体は、
当該止水板本体の下端面が、前記プレートの前記表面と密着するように設置される
ことを特徴とする請求項１から３のいずれか一項に記載の止水板。
【請求項５】
前記塀の前記開口部に面した端部に対し、当該端部に沿って上下方向に延在して設置され、前記領域外側に平滑な表面を有する取付枠をさらに有し、
前記止水板本体は、
当該止水板本体の背面が、前記取付枠の前記領域外側の前記表面と密着するように設置される
ことを特徴とする請求項１から４のいずれか一項に記載の止水板。
【請求項６】
領域内と領域外との境界に設けられ、開口部を有する塀と、
前記塀の前記開口部を塞ぐように設置された請求項１から５のいずれか一項に記載の止水板と
を備えることを特徴とする止水構造。
【考案の詳細な説明】
【技術分野】
【０００１】
本考案は、止水板および止水構造に関する。
【背景技術】
【０００２】
従来、建物の開口の前方に設置されることで、建物の開口の後方への水の侵入を防止することが可能な止水板が考案されている（例えば、下記特許文献１参照）。
【先行技術文献】
【特許文献】
【０００３】
【特許文献１】特開２０１７−３１６２７号公報
【考案の概要】
【考案が解決しようとする課題】
【０００４】
しかしながら、従来技術は、建物の開口部からの建物の内部への水の侵入を防止することを目的とするものであり、例えば、塀の開口部からの塀に囲まれた領域内への水の侵入を防止することを目的とするものではない。
【課題を解決するための手段】
【０００５】
一実施形態に係る止水板は、領域内と領域外との境界に設けられた塀の開口部を塞ぐように設置され、開口部からの領域内への水の侵入を防止する止水板本体を有する
【考案の効果】
【０００６】
一実施形態によれば、塀の開口部からの塀に囲まれた領域内への水の侵入を防止することができる。
【図面の簡単な説明】
【０００７】
【図１】第１実施形態に係る止水構造の外観斜視図
【図２】第１実施形態に係る止水構造の上面図
【図３】第２実施形態に係る止水構造の上面図
【図４】第３実施形態に係る止水構造の上面図
【考案を実施するための形態】
【０００８】
以下、図面を参照して、一実施形態について説明する。なお、以下に説明する各実施形態では、便宜上、上下方向（地面１６に対して垂直な方向）をＺ軸方向とし、左右方向をＸ軸方向とし、前後方向をＹ軸方向とする。
【０００９】
〔第１実施形態〕
図１は、第１実施形態に係る止水構造１０の外観斜視図である。図２は、第１実施形態に係る止水構造１０の上面図である。
【００１０】
図１および図２に示す止水構造１０は、領域内Ａ１を取り囲むように構成されていることにより、豪雨、洪水等の水害の発生時に、領域外Ａ２から領域内Ａ１への水の侵入を防止するためのものである。
【００１１】
図１および図２に示すように、止水構造１０は、塀１２と、塀１２の開口部１２Ａに設置される止水板１００とを有して構成されている。
【００１２】
塀１２は、地面１６に対して垂直に起立した状態で設置されている。塀１２は、領域内Ａ１と領域外Ａ２との境界線に沿って、上下方向（Ｚ軸方向）に一定の高さ寸法を有して、領域内Ａ１を取り囲むように環状に設置されている。塀１２としては、例えば、ブロック塀、コンクリート塀等が挙げられる。
【００１３】
塀１２は、領域内Ａ１と領域外Ａ２との間の行き来を可能にする、開口部１２Ａを有する。開口部１２Ａは、部分的に塀１２が設けられていない部分である。すなわち、開口部１２Ａは、左側（Ｘ軸負側）の塀１２の端部１２Ｂと、右側（Ｘ軸正側）の塀１２の端部１２Ｂとの間の空間部分である。開口部１２Ａは、左右方向（Ｘ軸方向）に一定の横幅を有する。
【００１４】
開口部１２Ａには、領域内Ａ１側に、左右一対の門扉１４が設けられている。左右一対の門扉１４の各々は、その支柱が塀１２の領域内Ａ１側（Ｙ軸正側）の内壁面１２Ｄに固定されており、当該支柱の回転軸部を回転中心として、開閉可能である。
【００１５】
止水板１００は、塀１２の開口部１２Ａにおける領域外Ａ２側に開口部１２Ａを塞ぐように設置されることにより、開口部１２Ａから領域内Ａ１への水の侵入を防止するためのものである。図１および図２に示すように、止水板１００は、止水板本体１０１と、左右一対の取付金具１０２とを有して構成されている。
【００１６】
止水板本体１０１は、平面視において横長の長方形状を有する、平板状の部材である。図１および図２に示すように、止水板本体１０１は、塀１２の開口部１２Ａにおける領域外Ａ２側に、地面１６に対して垂直に起立した状態で設置される。止水板本体１０１は、領域外Ａ２から水圧に十分に耐えることができるように、十分な厚さを有する。
【００１７】
止水板本体１０１は、左右方向（Ｘ軸方向）に一定の横幅を有する。止水板本体１０１の横幅は、塀１２の開口部１２Ａの横幅よりも十分に大きくなっている。また、止水板本体１０１は、上下方向（Ｚ軸方向）に一定の上下幅を有する。止水板本体１０１の上下幅は、豪雨、洪水等の水害の発生時において想定される水面の高さ位置よりも、十分に大きくなっている。なお、止水板本体１０１は、サイズが異なる複数種類のものが用意されている。これにより、止水板本体１０１は、塀１２の開口部１２Ａの横幅、豪雨、洪水等の水害の発生時において想定される水面の高さ位置等に応じて、適切なサイズのものが用いられる。
【００１８】
止水板本体１０１は、平板部１０１Ｂおよび額縁部１０１Ａを有する。平板部１０１Ｂは、横長の長方形状を有する平板状の部材である。平板部１０１Ｂには、例えば、アクリル板が用いられる。なお、平板部１０１Ｂは、透明であってもよく、非透明であってもよい。額縁部１０１Ａは、平板部１０１Ｂの外周縁部に取り付けられる、アルミ製且つ矩形枠状の部材である。なお、止水板本体１０１は、額縁部１０１Ａを有しない構成であってもよい。また、額縁部１０１Ａは、アルミ以外の素材が用いられて形成されてもよい。
【００１９】
また、止水板本体１０１は、左右に一対の弾性板１０１Ｃを有する。弾性板１０１Ｃは、弾性素材（例えば、ゴム、シリコン、ウレタン等）が用いられて形成される、平板状且つ矩形状の部材である。弾性板１０１Ｃは、平板部１０１Ｂの背面（Ｙ軸正側の面）に重ねて設けられる。これにより、弾性板１０１Ｃは、止水板本体１０１が設置されたときに、平板部１０１Ｂと塀１２の領域外Ａ２側（Ｙ軸負側）の外壁面１２Ｃとの間で挟持され、平板部１０１Ｂの背面と塀１２の外壁面１２Ｃとの双方に密着することにより、平板部１０１Ｂと塀１２の外壁面１２Ｃとの間からの水の侵入をより確実に防止することができる。
【００２０】
取付金具１０２は、塀１２の開口部１２Ａに止水板本体１０１が設置された状態で、止水板本体１０１を塀１２に固定するための、金属製の部材である。図１に示す例では、取付金具１０２は、水平部分を有しており、当該水平部分において、止水板本体１０１の上端面（Ｚ軸正側の端面）に対して、任意の固定手段（例えば、ネジ等）によって固定される。また、図１に示す例では、取付金具１０２は、垂直部分を有しており、当該垂直部分において、塀１２の端部１２Ｂにおける開口部１２Ａに面した表面（すなわち、塀１２の端面）に対して、塀１２に適した任意の固定手段（例えば、コンクリートネジ、モルタル等）によって固定される。
【００２１】
以上のように構成された第１実施形態に係る止水板１００は、図１および図２に示すように、塀１２の開口部１２Ａにおける領域外Ａ２側（Ｙ軸負側）に、地面１６に対して垂直に起立した状態で設置される。そして、第１実施形態に係る止水板１００は、左右一対の取付金具１０２により、塀１２の開口部１２Ａに固定される。これにより、第１実施形態に係る止水板１００は、豪雨、洪水等の水害の発生時に、領域外Ａ２から開口部１２Ａを通じて領域内Ａ１へ水が侵入してしまうことを防止することができる。
【００２２】
また、第１実施形態に係る止水板１００は、止水板本体１０１の裏側（Ｙ軸正側）に弾性板１０１Ｃを有するため、弾性板１０１Ｃが塀１２の外壁面１２Ｃに密着することで、止水板本体１０１と塀１２の外壁面１２Ｃとの間からの水の侵入を、より確実に防止することができる。
【００２３】
特に、第１実施形態に係る止水板１００は、弾性板１０１Ｃが弾性素材（例えば、ゴム、シリコン、ウレタン等）を用いて形成されているため、塀１２がブロック塀である場合等、塀１２の外壁面１２Ｃが比較的粗い場合であっても、弾性板１０１Ｃが弾性変形して塀１２の外壁面１２Ｃに密着できるため、止水板本体１０１と塀１２の外壁面１２Ｃとの間からの水の侵入を、より確実に防止することができる。
【００２４】
なお、止水板１００は、止水板本体１０１が、塀１２の開口部１２Ａに対して、工具を用いることなく容易に着脱可能な構成を有してもよい。この場合、止水板本体１０１は、取付金具１０２と一体に着脱可能であってもよく、取付金具１０２を塀１２の開口部１２Ａを取り付けた状態のまま、取付金具１０２に対して着脱可能であってもよい。
【００２５】
〔第２実施形態〕
図３は、第２実施形態に係る止水構造１０の上面図である。図３に示すように、第２実施形態に係る止水板１００は、プレート１０３をさらに備える点で、第１実施形態に係る止水板１００と異なる。
【００２６】
プレート１０３は、アルミ製且つ平板状の部材である。プレート１０３は、上方（Ｚ軸正方向）からの平面視において、横長の長方形状を有する。プレート１０３は、地面１６において、止水板本体１０１の下側に、地面１６に適した任意の設置方法によって設置される。プレート１０３は、止水板本体１０１の下端面の全体が当該プレート１０３の表面に接触するように、前後方向（Ｙ軸方向）および左右方向（Ｘ軸方向）の各々において、止水板本体１０１の下端面よりも大きいサイズを有する。なお、プレート１０３は、アルミ以外の素材が用いられて形成されてもよい。
【００２７】
プレート１０３は、表面が平滑である。一方、止水板本体１０１の下端面も、平滑である。これにより、第２実施形態に係る止水板１００は、プレート１０３の表面に止水板本体１０１の下端面が接触することで、地面１６と止水板本体１０１の下端面との間の密着性を高めることができ、よって、地面１６と止水板本体１０１の下端面との間からの水の侵入をより確実に防止することができる。
【００２８】
なお、第２実施形態に係る止水板１００において、止水板本体１０１の下端面に対し、当該下端面に沿って、弾性素材からなる平板状の弾性部材を設けるようにしてもよい。これにより、第２実施形態に係る止水板１００は、地面１６と止水板本体１０１の下端面との間の密着性をさらに高めることができ、よって、地面１６と止水板本体１０１の下端面との間からの水の侵入をさらに確実に防止することができる。
【００２９】
〔第３実施形態〕
図４は、第３実施形態に係る止水構造１０の上面図である。図４に示すように、第３実施形態に係る止水板１００は、左右一対の取付枠１０４をさらに備える点で、第２実施形態に係る止水板１００と異なる。
【００３０】
取付枠１０４は、塀１２の開口部１２Ａに面した端部１２Ｂに取り付けられる、アルミ製かつ直線枠状の部材である。取付枠１０４は、塀１２の端部１２Ｂに沿って、上下方向（Ｚ軸方向）に直線状に延在して設置される。なお、取付枠１０４は、アルミ以外の素材が用いられて形成されてもよい。
【００３１】
取付枠１０４は、塀１２の開口部１２Ａに面した端面を覆う第１の部分と、第１の部分に対して直角であり、塀１２の内壁面１２Ｄと重なる第２の部分と、第１の部分に対して直角であり、塀１２の外壁面１２Ｃと重なる第３の部分とが一体となった形状を有する。
【００３２】
これにより、取付枠１０４は、図４に示すように、第１の部分と第２の部分と第３の部分とに囲まれた空間内に、塀１２の端部１２Ｂが挿し込まれた状態で、塀１２の端部１２Ｂに固定することが可能となっている。なお、取付枠１０４は、塀１２の端部１２Ｂに対して、塀１２の端部１２Ｂに適した任意の固定手段（例えば、コンクリートネジ、モルタル、接着剤等）によって固定される。
【００３３】
ここで、取付枠１０４の上記した第３の部分は、表面が平滑である。これにより、取付枠１０４は、塀１２の外壁面１２Ｃの一部に平滑面を形成することができる。これにより、第３実施形態に係る止水板１００は、外壁面１２Ｃの平滑面に、止水板本体１０１の背面を接触させることで、外壁面１２Ｃと止水板本体１０１の背面との間の密着性を高めることができ、よって、外壁面１２Ｃと止水板本体１０１の背面との間からの水の侵入をより確実に防止することができる。
【００３４】
なお、第３実施形態に係る止水板１００において、第１実施形態で説明した弾性板１０１Ｃを設けるようにしてもよい。これにより、第３実施形態に係る止水板１００は、外壁面１２Ｃと止水板本体１０１の背面との間の密着性をさらに高めることができ、よって、外壁面１２Ｃと止水板本体１０１の背面との間からの水の侵入をさらに確実に防止することができる。
【００３５】
以上、本考案の一実施形態について詳述したが、本考案はこれらの実施形態に限定されるものではなく、実用新案登録請求の範囲に記載された本考案の要旨の範囲内において、種々の変形または変更が可能である。
【００３６】
例えば、上記各実施形態において、止水板１００は、複数の止水板本体１０１を上下方向に連結した状態で、塀１２の開口部１２Ａを塞ぐように設置可能であってもよい。これにより、止水板１００は、水害発生時に想定される水面の高さ位置に応じて、止水板本体１０１の設置枚数を調整することで、水の侵入を防止可能な高さ位置を調整することができる。
【符号の説明】
【００３７】
１０  止水構造
１２  塀
１２Ａ  開口部
１２Ｂ  端部
１２Ｃ  外壁面
１２Ｄ  内壁面
１４  門扉
１６  地面
１００  止水板
１０１  止水板本体
１０２  取付金具
１０３  プレート
１０４  取付枠
Ａ１  領域内
Ａ２  領域外
【図１】
0003233365.tif 000003
【図２】
0003233365.tif 000004
【図３】
0003233365.tif 000005
【図４】
0003233365.tif 000006
【手続補正書】
【提出日】令和3年6月9日(2021.6.9)
【手続補正１】
【補正対象書類名】実用新案登録請求の範囲
【補正対象項目名】全文
【補正方法】変更
【補正の内容】
【実用新案登録請求の範囲】
【請求項１】
領域内と領域外との境界に設けられた塀の開口部からの前記領域内への水の侵入を防止する止水板であって、
前記開口部を塞ぐように設置され、前記開口部を塞ぐ大きさを有する板状の止水板本体と、
前記止水板本体を前記塀に固定する固定具とを有する
ことを特徴とする止水板。
【請求項２】
前記止水板本体は、
前記塀の外壁面との間に設けられ、前記塀の外壁面に密着する弾性部材を有する
ことを特徴とする請求項１に記載の止水板。
【請求項３】
前記止水板本体が設置される地面に対し、前記止水板本体の下側に設置され、平滑な表面を有するプレートをさらに備え、
前記止水板本体は、
当該止水板本体の下端面が、前記プレートの前記表面と密着するように設置される
ことを特徴とする請求項１または２に記載の止水板。
【請求項４】
前記塀の前記開口部に面した端部に対し、当該端部に沿って上下方向に延在して設置され、前記領域外側に平滑な表面を有する取付枠をさらに有し、
前記止水板本体は、
当該止水板本体の背面が、前記取付枠の前記領域外側の前記表面と密着するように設置される
ことを特徴とする請求項１から３のいずれか一項に記載の止水板。
【請求項５】
領域内と領域外との境界に設けられ、開口部を有する塀と、
前記塀の前記開口部を塞ぐように設置された請求項１から４のいずれか一項に記載の止水板と
を備えることを特徴とする止水構造。